(57)【要約】【課題】小型且つ低コストで、表示部の信頼性及び衝撃強度が向上した表示装置を提供する。【解決手段】表示装置Ａは、光を照射する光照射パネル１１と、透光パネル１２と、器具本体２１と、音出力部３と、を備える。透光パネル１２は、光照射パネル１１の前面に設けられて光照射パネル１１からの光を透過する部位を有する。器具本体２１は、透光パネル１２の前面を露出させた状態で透光パネル１２を保持するとともに光照射パネル１２を収容する。音出力部３は、光照射パネル１１の裏側の器具本体２１に設けられて音声Ｓを出力する。そして、表示装置Ａは、器具本体２１、及び、透光パネル１２、のうち少なくとも何れか一方に、音出力部３から出力された音声Ｓを外部に出すための開口部２３が設けられている。【選択図】図１
2013044863.tif 000002
【特許請求の範囲】
【請求項１】
光を照射する光照射パネルと、前記光照射パネルの前面に設けられて前記光照射パネルからの光を透過する部位を有する透光パネルと、前記透光パネルの前面を露出させた状態で前記透光パネルを保持するとともに前記光照射パネルを収容する器具本体と、前記光照射パネルの裏側の前記器具本体に設けられて音声を出力する音出力部と、を備え、前記器具本体、及び、前記透光パネル、のうち少なくとも何れか一方に、前記音出力部から出力された音声を外部に出すための開口部が設けられたこと特徴とする表示装置。
【請求項２】
外部からの異物の進入を低減するフィルタ部を前記開口部に備えたことを特徴とする請求項１記載の表示装置。
【請求項３】
外部からトリガ入力があると、前記光照射パネル、及び、前記音出力部、のうち少なくとも何れか一方を動作させる制御部が設けられたことを特徴とする請求項１又は２記載の表示装置。
【請求項４】
常用電源の停電時に、前記光照射パネル及び前記音出力部に給電するバックアップ用の蓄電池を備えたことを特徴とした請求項１乃至３の何れか記載の表示装置。
【請求項５】
前記音出力部と前記開口部との間で、前記音出力部から出力された音声が伝搬する空間を前記器具本体内部の他の空間と仕切るガイド部材を備えたことを特徴とする請求項１乃至４の何れか記載の表示装置。
【発明の詳細な説明】
【技術分野】
【０００１】
本発明は、表示装置に関するものである。
【背景技術】
【０００２】
従来、避難口への案内を表示する表示装置として、音声で避難口に誘導する機能を有する音出力部を備えたものがあった。この種の表示装置では、避難口への案内を表示する表示部の横に、音出力部が並べて配置されている。そのため、表示装置のサイズ、及び、表示装置の設置スペースが大きくなり、表示装置の重量も増えていた。また、必要とされる材料や組立加工費等が増えるため、コスト高となっていた。
【０００３】
また従来、表示部と音出力部とが一体に設けられた表示装置もあった（特許文献１参照）。この表示装置では、表示部と音出力部とが一体に設けられているため、表示部と音出力部とが並べて配置された表示装置に比べて、サイズや設置スペースを小さくすることができた。
【先行技術文献】
【特許文献】
【０００４】
【特許文献１】特開２０１０−２７８４５号公報
【発明の概要】
【発明が解決しようとする課題】
【０００５】
しかしながら、特許文献１に示されるような表示装置では、表示部と音出力部とが一体に設けられているため、音出力部からの振動によって表示部が振動することで、表示部の点灯の信頼性が低下していた。また、表示部を構成する有機エレクトロルミネッセンスパネル部が露出された状態であるため、表示部の衝撃強度が低下していた。
【０００６】
本発明は、上記事由に鑑みてなされたものであり、その目的は、小型且つ低コストで、表示部の信頼性及び衝撃強度が向上した表示装置を提供することにある。
【課題を解決するための手段】
【０００７】
上記課題を解決するために本発明の表示装置は、光を照射する光照射パネルと、透光パネルと、器具本体と、音出力部と、を備える。前記透光パネルは、前記光照射パネルの前面に設けられて前記光照射パネルからの光を透過する部位を有する。前記器具本体は、前記透光パネルの前面を露出させた状態で前記透光パネルを保持するとともに前記光照射パネルを収容する。前記音出力部は、前記光照射パネルの裏側の前記器具本体に設けられて音声を出力する。そして、表示装置は、前記器具本体、及び、前記透光パネル、のうち少なくとも何れか一方に、前記音出力部から出力された音声を外部に出すための開口部が設けられたこと特徴とする。
【０００８】
この表示装置において、外部からの異物の進入を低減するフィルタ部が前記開口部に備えられることも好ましい。
【０００９】
この表示装置において、外部からトリガ入力があると、前記光照射パネル、及び、前記音出力部、のうち少なくとも何れか一方を動作させる制御部が設けられたことが好ましい。
【００１０】
この表示装置において、常用電源の停電時に、前記光照射パネル及び前記音出力部に給電するバックアップ用の蓄電池が備えられたことが好ましい。
【００１１】
この表示装置において、前記音出力部と前記開口部との間で、前記音出力部から出力された音声が伝搬する空間を前記器具本体内部の他の空間と仕切るガイド部材が備えられたことが好ましい。
【発明の効果】
【００１２】
本発明では、小型且つ低コストで、表示部の信頼性及び衝撃強度が向上するという効果がある。
【図面の簡単な説明】
【００１３】
【図１】（ａ）は実施形態１の表示装置の外観斜視図、（ｂ）は分解斜視図、（ｃ）は音出力部を中心とした断面図である。
【図２】（ａ）は同上の表示装置の外観斜視図、（ｂ）は分解斜視図である。
【図３】（ａ）は同上の表示装置の外観斜視図、（ｂ）は分解斜視図である。
【図４】（ａ）は同上の表示装置の外観斜視図、（ｂ）は分解斜視図である。
【図５】（ａ）は同上の表示装置の外観斜視図、（ｂ）は分解斜視図である。
【図６】（ａ）は同上の表示装置の外観斜視図、（ｂ）は分解斜視図、（ｃ）は音出力部を中心とした断面図である。
【図７】（ａ）は同上の表示装置の外観斜視図、（ｂ）は分解斜視図である。
【図８】同上のガイド部材が設けられた表示装置の音出力部を中心とした断面図である。
【図９】（ａ）は実施形態２の表示装置の外観斜視図、（ｂ）は分解斜視図、（ｃ）は音出力部を中心とした断面図である。
【図１０】（ａ）は同上の表示装置の外観斜視図、（ｂ）は分解斜視図である。
【図１１】（ａ）は同上の表示装置の外観斜視図、（ｂ）は分解斜視図である。
【図１２】（ａ）は同上の表示装置の外観斜視図、（ｂ）は分解斜視図である。
【図１３】（ａ）は同上の表示装置の外観斜視図、（ｂ）は分解斜視図である。
【図１４】（ａ）は同上の表示装置の外観斜視図、（ｂ）は分解斜視図である。
【図１５】同上のガイド部材が設けられた表示装置の音出力部を中心とした断面図である。
【発明を実施するための形態】
【００１４】
以下、本発明の実施の形態を図面に基づいて説明する。尚、以下の各実施形態では、避難誘導のための誘導灯として使用される表示装置について説明する。
【００１５】
尚、以下の説明では、図１（ａ）に示す向きにおいて、上下左右の方向を規定し、図１（ｃ）の左側を前側に、右側を後側と規定する。他の図においても同様に、表示装置の外観斜視図に示す向きにおいて、上下左右の方向を規定し、断面図の左側を前側に、右側を後側と規定する。
【００１６】
（実施形態１）
実施形態１の表示装置Ａを図１〜図８に基づいて説明する。
【００１７】
表示装置Ａは、天井や壁等に設けられ、表示部１に案内や広告、標識等の図記号を点灯表示させ、且つ、音出力部３から音声Ｓを出力させる。
【００１８】
表示装置Ａは、図１に示すように、図記号を表示する表示部１と、器具本体２１と、音出力部３と、制御部４とを備える。
【００１９】
表示部１は、光照射パネル１１と、光照射パネル１１の前面を覆うように設けられて光照射パネル１１に固定された透光パネル１２とからなる。表示部１は、制御部４により点灯表示されて、図記号を表示する。
【００２０】
光照射パネル１１は、光源として全面に有機エレクトロルミネッセンスが設けられた樹脂材料からなる略正方形の板であり、制御部４により点灯される。尚、光照射パネル１１の光源は、面状の光源であれば、有機エレクトロルミネッセンスに限るものではなく、無機エレクトロルミネッセンスであっても、発光ダイオードからなるものであっても構わない。
【００２１】
透光パネル１２は、透光性の樹脂材料からなる、光照射パネル１１よりも大きな略正方形の板であり、透光パネル１２の裏面に図記号が描かれている。透光パネル１２には、器具本体２１の保持部２１ａと対になって器具本体２１に取り付けられるための爪が設けられている。光照射パネル１１から照射された光が、透光パネル１２の厚み方向に透光することで、透光パネル１２に描かれた図記号が点灯表示される。また、透光パネル１２が光照射パネル１１の前面を覆うように光照射パネル１１を保持し、光照射パネル１１が露出されずにすみ、透光パネル１２によって光照射パネル１１に加わる外部からの衝撃が低減される。また、図記号が透光パネル１２の裏面に描かれているため、外部からの接触によって図記号が傷つくことが少なくなる。透光パネル１２の下部には略矩形状の開口部２３が設けられている。開口部２３にはフィルタ部２３ａが設けられている。フィルタ部２３ａは、透光パネル１２の一部にスリット状の孔が加工されたものから構成されたものでもよい。フィルタ部２３ａによって、外部から表示装置Ａの内部への異物の進入が抑制される。尚、フィルタ部２３ａは、透光パネル１２の一部に微細孔が加工されたものから構成されたものでもよいし、例えば不織布やスポンジ等の、異物の進入を抑制しつつ音を通す材質から構成されたものでもよい。
【００２２】
器具本体２１は、金属材料からなり、前側の略前面が開口した箱状であり、表示装置Ａを天井や壁などに取り付けるための孔や、配線を通すための孔が設けられている。器具本体２１は、略正方形の底面（後側の面）と、底面の前側に位置して底面に垂直な４つの側面（上部と下部と左側と右側の面）を有する。器具本体２１の底面の下部に音出力部３が、底面の略中央部に制御部４が設けられている。器具本体２１は開口付近に４つの保持部２１ａを有する。透光パネル１２の爪を保持部２１ａに取り付けることで、透光パネル１２が器具本体２１に保持され、光照射パネル１１が器具本体２１に収容される。
【００２３】
音出力部３は、開口部２３の裏側であって、器具本体２１の底面の下部に設けられ、制御部４によって音声Ｓを出力する。音出力部３から出力された音声Ｓは、図１（ｃ）に示すように、音出力部３から、開口部２３を通じて外部に出力される。
【００２４】
制御部４は、常用電源からの電力を受けて、光照射パネル１１を点灯させ、音出力部３から音声Ｓを出力させる。制御部４は、器具本体２１の底面の略中央部に設けられている。制御部４の配置場所は、器具本体２１の底面の略中央部に限るものではなく、音発生部３や他の器具の配置場所により、器具本体２１の底面の下部や上部でも構わない。
【００２５】
また、図２〜図４に示すように、音出力部３の位置と個数を図１と異ならせてもよく、その場合は音出力部３の位置や出力に応じて、開口部２３の位置を異ならせても、数を増やしてもよい。図２に示すように、開口部２３が透光パネル１２の上部に設けられ、音出力部３が、開口部２３の裏側であって、器具本体２１の底面の上部に設けられ、制御部４が器具本体２１の底面の略中央部に設けられてもよい。図３に示すように、開口部２３が透光パネル１２の左側に設けられ、音出力部３が、開口部２３の裏側であって、器具本体２１の底面の左側に設けられ、制御部４が器具本体２１の底面の下部に設けられてもよい。また図示は省略するが、開口部２３が透光パネル１２の右側に設けられ、音出力部３が、開口部２３の裏側であって、器具本体２１の底面の右側に設けられ、制御部４が器具本体２１の底面の下部に設けられてもよい。図４に示すように、開口部２３が透光パネル１２の左側と右側に２つ設けられ、音出力部３が、各開口部２３の裏側であって、器具本体２１の底面の左側と右側に２つ設けられ、制御部４が器具本体２１の底面の下部に設けられてもよい。例えば図４のように、開口部２３と音出力部３とが複数設けられる場合は、各開口部２３は透光パネル１２に離して設けられ、各音出力部３は、開口部２３の裏側であって器具本体２１の底面に離して設けられる。また、図５に示すように、音出力部３が器具本体２１の底面の略中央部に１つ設けられ、透光パネル１２に複数の開口部２３（図では４つ）が設けられ、制御部４が器具本体２１の底面の下部に設けられてもよい。また、開口部２３が複数設けられた場合は、各開口部２３の裏側に音出力部３が各１つ設けられてもよい。
【００２６】
また、図６に示すように、表示装置Ａは、金属材料からなる略正方形の枠体であり、透光パネル１２よりも大きい本体取付部２２を備えていてもよい。本体取付部２２は表示部１を保持する。本体取付部２２は爪を有していて、この爪が器具本体２１の保持部２１ａに取り付けられることによって、本体取付部２２が器具本体２１に保持され、透光パネル１２と光照射パネル１１とが器具本体２１に収容される。そして、開口２５から表示部１の図記号が点灯される。この場合、透光パネル１２は器具本体２１に取り付けるための爪を有していない。また、音声出力用の開口部２３は透光パネル１２ではなく、本体取付部２２の正面（図では下部に１つ）に設けられる。音出力部３から出力された音声Ｓは、図６（ｃ）に示すように、音出力部３から、本体取付部２２に設けられた開口部２３を通じて外部に出力される。尚、表示装置Ａに本体取付部２２が設けられた場合でも、図２〜図５に相当する位置と数で、開口部２３が本体取付部２２に、音出力部３が、開口部２３の裏側であって、器具本体２１の底面に設けられてもよい。
【００２７】
また、図１〜図６に示す表示装置Ａにおいて、図８に示すように、音出力部３から出力された音声Ｓの伝搬路を形成する板やパイプ状の管からなるガイド部材２４が設けられてもよい。ガイド部材２４は、表面が滑らかで弾性が低く、音の反射率が高い材質が好ましい。ガイド部材２４は、音出力部３と開口部２３との間で、音声Ｓが伝搬する空間と器具本体２１内部の他の空間とを仕切っている。ガイド部材２４が設けられることで、音出力部３から出力された音声Ｓが、開口部２３に至るまでの減衰が低減され、より大きな音が開口部２３から出力される。
【００２８】
次に図１〜図６に示す表示装置Ａの動作の説明をする。制御部４は、常用電源からの電力を受けて、光照射パネル１１を点灯させて、光照射パネル１１の発光で透光パネル１２を光らせることによって所望の表示を行い、音出力部３を作動させて音声Ｓを出力させる。尚、表示部１の表示内容や、音出力部３から出力される音声Ｓの内容は、表示装置Ａの用途に合わせて適宜変更することができる。
【００２９】
また、図７に示すように、表示装置Ａが火災時の避難目的の誘導灯として使用される場合は、図１に示す表示装置Ａにおいて、器具本体２１に蓄電池５と端子台６が付加されればよい。蓄電池５は、例えばリチウムイオン電池やニッケル水素電池等である。端子台６は、外部に設けられた火災感知器（図示せず）からの信号線が接続される。また、図２〜６に示す表示装置Ａにおいても、器具本体２１に蓄電池５と端子台６が付加されることで、火災時の避難目的の誘導灯として用いられてもよい。
【００３０】
次に、誘導灯として使用される図７に示す表示装置Ａの動作の説明をする。まず、常用電源（例えば商用電源）から電力が供給されている場合について述べる。制御部４が常用電源からの電力を受けて、蓄電池５を充電する。火災感知器から制御部４に火災感知信号が送信されると、制御部４が、常用電源からの電力を受けて、光照射パネル１１の発光で透光パネル１２を光らせることによって所望の表示を行い、音出力部３を作動させて避難口へ避難者を誘導する音声Ｓを出力させる。
【００３１】
また、停電が起きて常用電源からの電力供給が遮断された場合について述べる。停電が起きると、制御部４が蓄電池５を放電させる。そして、蓄電池５からの電力を受けて、制御部４が、光照射パネル１１の発光で透光パネル１２を光らせることによって所望の表示を行い、音出力部３を作動させて避難口へ避難者を誘導する音声Ｓを出力させる。
【００３２】
尚、常に表示部１が点灯表示されて、表示装置Ａが常に所望の表示をしてもよい。
【００３３】
尚、外部からのトリガ入力は、火災感知器からの火災感知信号に限るものではなく、例えば人感センサからの検知信号であってもよい。この場合、例えば表示装置Ａを店頭等に設置することで、客が売り物の前を通った時等に表示部１を点灯表示させるとともに音声Ｓを出力させることで、集客力を増やすこともできる。
【００３４】
上述のように、表示装置Ａは、光を照射する光照射パネル１１と、透光パネル１２と、器具本体２１と、音出力部３と、を備える。透光パネル１２は、光照射パネル１１の前面に設けられて光照射パネル１１からの光を透過する部位を有する。器具本体２１は、透光パネル１２の前面を露出させた状態で透光パネル１２を保持するとともに光照射パネル１２を収容する。音出力部３は、光照射パネル１１の裏側の器具本体２１に設けられて音声Ｓを出力する。そして、表示装置Ａは、器具本体２１、及び、透光パネル１２、のうち少なくとも何れか一方に、音出力部３から出力された音声Ｓを外部に出すための開口部２３が設けられたこと特徴とする。
【００３５】
これにより、表示部１の裏側に音出力部が設けられることで、表示装置Ａのサイズと設置スペースを小さくすることができる。また、材料や組立加工等も削減することができるため、コストも下げることができる。また、表示部１と音出力部３とが分離されているため、音出力部３から発生された振動が表示部１に伝わりにくくなり、表示部１の信頼性が向上する。また、光源となる光照射パネル１１の前面に透光パネル１２が設けられることで、光照射パネル１１が外部からの衝撃から保護されるため、表示装置Ａの衝撃強度が向上する。
【００３６】
この表示装置Ａにおいて、外部からの異物の進入を低減するフィルタ部２３ａが開口部２３に備えられることも好ましい。
【００３７】
これにより、表示装置Ａの内部への異物の進入が抑制されることによって、埃等が音出力部３に付着することによる音声Ｓの音量の低下の虞や、埃等が回路部に進入することによる漏電の虞等が少なくなる。その為、表示装置Ａの信頼性が向上する。
【００３８】
この表示装置Ａにおいて、外部からトリガ入力があると、光照射パネル１１、及び、音出力部３、のうち少なくとも何れか一方を動作させる制御部４が設けられたことが好ましい。
【００３９】
これにより、表示部１と音出力部３の動作を、トリガ入力の有無によって異ならせることができる。例えば、トリガ入力を火災感知器からの火災感知信号とすると、表示装置Ａが、火災感知器と連動して、表示部１が避難口を表示し、音出力部３が音声Ｓによって避難者を避難口に誘導する誘導灯として用いられることができる。
【００４０】
この表示装置Ａにおいて、常用電源の停電時に、光照射パネル１１及び音出力部３に給電するバックアップ用の蓄電池５が備えられたことが好ましい。
【００４１】
これにより、停電が発生しても、表示装置Ａは機能することができる。
【００４２】
この表示装置Ａにおいて、音出力部３と開口部２３との間で、音出力部３から出力された音声Ｓが伝搬する空間を器具本体２１内部の他の空間と仕切るガイド部材２４が備えられたことが好ましい。
【００４３】
これにより、音出力部３から出力された音声Ｓが、開口部２３に至るまでの減衰が低減され、より大きな音の音声Ｓが開口部２３から出力される。
【００４４】
（実施形態２）
実施形態２の表示装置Ａの動作は実施形態１と同じなのでその説明は省略し、実施形態１と異なる構成のみを図９〜図１５に基づいて説明する。
【００４５】
本実施形態では、開口部２３は表示装置Ａの側面であり、器具本体２１の側面に設けられている。開口部２３に設けられたフィルタ部２３ａは、器具本体２１の一部にスリット状の孔が加工されたものから構成されたものでもよい。フィルタ部２３ａによって、外部から表示装置Ａの内部への異物の進入が抑制される。尚、フィルタ部２３ａは、透光パネル１２の一部に微細孔が加工されたものから構成されたものでもよいし、例えば不織布やスポンジ等の、異物の進入を抑制しつつ音を通す材質から構成されたものでもよい。
【００４６】
図９に示す表示装置Ａでは、開口部２３は、表示装置Ａの側面、すなわち、器具本体２１の下部の側面に設けられている。音出力部３は、開口部２３の裏側であって、器具本体２１の底面の下側に設けられている。この場合の音出力部３から出力された音声Ｓは、図９（ｃ）に示すように、音出力部３から器具本体２１に設けられた開口部２３を通じて外部に出力される。同様に、図１０に示すように、開口部２３が器具本体２１の上部の側面に設けられ、音出力部３が、開口部２３の裏側であって、器具本体２１の底面の上部に設けられてもよい。図１１に示すように、開口部２３が器具本体２１の左側の側面に設けられ、音出力部３が、開口部２３の裏側であって、器具本体２１の底面の左側に設けられてもよい。また図示は省略するが、開口部２３が器具本体２１の右側の側面に設けられ、音出力部３が、開口部２３の裏側であって、器具本体２１の底面の左側に設けられてもよい。図１２に示すように、開口部２３が器具本体２１の左側の側面と右側の側面とに２つ設けられ、音出力部３が、各開口部２３の裏側であって、器具本体２１の底面の左側と右側とに２つ設けられてもよい。例えば図１２のように、開口部２３と音出力部３とが複数設けられる場合は、各開口部２３は器具本体２１の側面に離して設けられ、各音出力部３は、開口部２３の裏側であって器具本体２１の底面に離して設けられる。また、図１３に示すように、音出力部３が器具本体２１の底面の略中央部に１つ設けられ、器具本体２１の側面に複数の開口部２３（図では４つ）が設けられてもよい。また、開口部２３が複数設けられた場合は、各開口部２３の裏側に音出力部３が各１つ設けられてもよい。
【００４７】
また、図９に示す表示装置Ａにおいて、器具本体２１に蓄電池５と端子台６が付加されることで、図１４に示すような表示装置Ａが、火災時の避難目的の誘導灯として使用されてもよい。同様に、図１０〜図１３に示す表示装置Ａにおいて、器具本体２１に蓄電池５と端子台６が付加されることで、火災時の避難目的の誘導灯として使用されてもよい。
【００４８】
また、図９〜図１４に示す表示装置Ａにおいて、図１５に示すような、音出力部３から出力された音声Ｓの伝搬路を形成する板やパイプ状の管からなるガイド部材２４が設けられてもよい。
【００４９】
以上に述べた実施形態１、実施形態２では、表示部１は略正方形に限るもではなく、矩形であっても、円形であっても構わない。同様に、その他の表示装置Ａを構成している光照射パネル１１や透光パネル１２、器具本体２１の底面などの形状も、略正方形に限るもではなく、それらの形状は表示部１の形状に従うものである。
【符号の説明】
【００５０】
Ａ  表示装置
Ｓ  音声
１  表示部
１１  光照射パネル
１２  透光パネル
２１  器具本体
２１ａ  保持部
２２  本体取付部
２３  開口部
２３ａ  フィルタ部
２４  ガイド部材
２５  開口
３  音出力部
４  制御部
５  蓄電池
６  端子台
【図１】
2013044863.tif 000003
【図２】
2013044863.tif 000004
【図３】
2013044863.tif 000005
【図４】
2013044863.tif 000006
【図５】
2013044863.tif 000007
【図６】
2013044863.tif 000008
【図７】
2013044863.tif 000009
【図８】
2013044863.tif 000010
【図９】
2013044863.tif 000011
【図１０】
2013044863.tif 000012
【図１１】
2013044863.tif 000013
【図１２】
2013044863.tif 000014
【図１３】
2013044863.tif 000015
【図１４】
2013044863.tif 000016
【図１５】
2013044863.tif 000017